(57)【特許請求の範囲】
【請求項１】
先端にビットを押し込み装着可能なツールホルダを連結した筒状のハウジング内にシリンダを設け、そのシリンダ内に、モータ駆動で往復動するピストンと、そのピストンの前方で空気室を介して所定のストロークで進退動する打撃子とを備える一方、前記打撃子の前方に、前記ビットの後端が当接可能な中間子と、その中間子の後方部が貫通可能で、所定位置で後退を規制される筒状の受け部材とを夫々前後移動可能に収容し、前記ビットの押し込み装着状態で前記受け部材によって支持される前記中間子の後方部を前記打撃子に打撃させて、前記ビットに打撃作動を伝達可能とした打撃工具であって、
前記受け部材と打撃子との間に、前記所定のストロークより前進した前記打撃子が前記受け部材と弾性的に連結可能な連結手段を設ける一方、前記受け部材に、挿通した前記中間子の後方部を弾性的に把持可能な把持手段を設けて、無負荷状態での前記打撃子による前記中間子の最初の打撃の際には、前記中間子の前記受け部材からの脱却に伴い前進した前記打撃子を前記連結手段を介して前記受け部材に連結させると共に、前記受け部材からの脱却後に後方へ跳ね返った前記中間子の後方部を前記把持手段を介して前記受け部材に連結させることを特徴とする打撃工具。
【請求項２】
連結手段が、受け部材の後面に設けられる凸部と、打撃子の前面に設けられ、前記凸部が挿入可能な凹部と、前記凸部と凹部との何れか一方の周面に設けられる第１弾性体と、他方に設けられ、前記第１弾性体と係合可能な係合部とからなり、把持手段が、前記受け部材の内周に配置される第２弾性体である請求項１に記載の打撃工具。
【発明の詳細な説明】
【０００１】
【発明の属する技術分野】
本発明は、ビットを装着しない場合やビットを地面等から離した場合等の所謂無負荷状態で打撃動作（空打ち）を生じさせない空打ち防止装置を備えた電動ハンマ等の打撃工具に関する。
【０００２】
【従来の技術】
例えば電動ハンマでは、先端にビットを押し込み装着可能なツールホルダを連結した筒状のハウジング内にシリンダを備え、そのシリンダ内に、モータ駆動で往復動するピストンと、そのピストンの前方で空気室を介して所定のストロークで進退動する打撃子（ストライカとも言う）とを備える。一方、ハウジング内で打撃子の前方には、ビットの後端が当接する中間子（インパクトボルトとも言う）と、その中間子の後方部が貫通可能で、所定位置で後退を規制される筒状の受け部材とが前後移動可能に収容され、ビットの押し込み装着状態でモータを駆動させると、ピストンと伝導して往復動する打撃子が受け部材から突出する中間子の後方部を打撃し、先端のビットに打撃作動を伝達可能となっている。
【０００３】
一方、このような打撃工具においては、無負荷状態（ツールホルダにビットが装着されていない状態や、ビットを地面等に押し付けていない状態）で、打撃動作が生じないようにする空打ち防止装置が設けられている。この空打ち防止装置としては、打撃子の前端に突出部を設けて、打撃子による最初の空打ちで中間子を受け部材から離反させると同時に、突出部を受け部材で把持させ、以後のピストンとの連動を遮断する構造や、受け部材に中間子を弾性的に把持させるようにして、最初の空打ちで受け部材から離反して前進した中間子がツールホルダに当接して跳ね返った際に受け部材に圧入される際の抵抗により、後方への移動量を少なくして以後の打撃子による打撃を防止する構造等が採用されている。
【０００４】
【発明が解決しようとする課題】
ところが、前者のように打撃子を受け部材に把持させたものでは、最初の空打ちで中間子を介して打撃されたビットが前進し、ツールホルダのストッパに衝突して後方へ跳ね返って中間子を後退させることで、後退した中間子が打撃子を受け部材から脱却させて再びピストンと連動させてしまうおそれがある。又、後者のように中間子を受け部材に把持させたものでは、前述のように最初の空打ちでのビットの跳ね返りによって後退する中間子と受け部材との移動量が大きいと、再び打撃子に打撃されてしまうおそれがある。
【０００５】
そこで、請求項１に記載の発明は、無負荷状態でのビットの跳ね返りが生じても確実に空打ちを防止可能な打撃工具を提供することを目的としたものである。
【０００６】
【課題を解決するための手段】
上記目的を達成するために、請求項１に記載の発明は、受け部材と打撃子との間に、所定のストロークより前進した打撃子が受け部材と弾性的に連結可能な連結手段を設ける一方、受け部材に、挿通した中間子の後方部を弾性的に把持可能な把持手段を設けて、無負荷状態での打撃子による中間子の最初の打撃の際には、中間子の受け部材からの脱却に伴い前進した打撃子を連結手段を介して受け部材に連結させると共に、受け部材からの脱却後に後方へ跳ね返った中間子の後方部を把持手段を介して受け部材に連結させることを特徴とするものである。
請求項２に記載の発明は、請求項１の目的に加えて、連結手段と把持手段とを簡単且つコンパクトに形成するために、連結手段を、受け部材の後面に設けられる凸部と、打撃子の前面に設けられ、凸部が挿入可能な凹部と、凸部と凹部との何れか一方の周面に設けられる第１弾性体と、他方に設けられ、第１弾性体と係合可能な係合部とし、把持手段を、受け部材の内周に配置される第２弾性体としたものである。
【０００７】
【発明の実施の形態】
以下、本発明の実施の形態を図面に基づいて説明する。
図１は、打撃工具の一例としての電動ハンマの一部縦断面図で、電動ハンマ１は、筒状のハウジング２に同軸でシリンダ３を内設し、シリンダ３内に、モータ駆動で往復動するピストン４を備える。シリンダ３内においてピストン４の前方（図１の左側）には、空気室５を介して打撃子としてのストライカ６が前後移動可能に収容されて、ピストン４に連動して所定のストロークで往復動可能となっている。又、ストライカ６の前面には、円形の凹部７が同軸で凹設され、凹部７の内周壁前端には、軸心側へ僅かに突出するリング状の係合部８が周設されている。
【０００８】
一方、ハウジング２の前方には、前方が小径となる二段径の貫通孔１０を有する筒状のツールホルダ９が同軸で固着され、ツールホルダ９とシリンダ３との間に、前方から中間子としてのインパクトボルト１１と、鍔付スリーブ１５とが夫々前後移動可能に収容されている。まずインパクトボルト１１は、ツールホルダ９に遊挿可能な大径部１２と、その大径部１２の後方に連設される後方部としての小径部１３とからなり、大径部１２の前面には、ビット２３の後端が遊挿可能な有底孔１４が形成されている。又、鍔付スリーブ１５には、インパクトボルト１１の小径部１３が遊挿可能な透孔１６が同軸で穿設され、後端には、透孔１６を中心として外径がストライカ６の係合部８の内径よりもやや小さいリング状の凸部１７が突設されて、ストライカ６と鍔付スリーブ１５との接近により、凸部１７が凹部７に遊挿可能となっているが、凸部１７の外周には第１弾性体としてのＯリング１８が環装されて、ストライカ６の係合部８と干渉可能となっている。更に、鍔付スリーブ１５の透孔１６内でＯリング１８よりやや前方位置には、把持手段の第２弾性体としてＯリング１９が嵌挿されて、透孔１６に遊挿されるインパクトボルト１１の小径部１３を弾性的に把持可能となっている。
【０００９】
尚、鍔付スリーブ１５は、後方へは、シリンダ３の前端に当接する図１の位置まで後退可能となっているが、鍔付スリーブ１５の後面には、シリンダ３の前端に外装され、後端をハウジング２の内面へ周方向に突設した複数のストッパ２１，２１・・に当接させたコイルバネ２０が当接して、鍔付スリーブ１５をツールホルダ９の後端に当接する前進位置へ向けて付勢している。
一方、ツールホルダ９の前端には、円形断面の一部を切り欠いた棒状のツールリテーナ２２が回動自在且つ直交状に装着されて、切欠き部分が貫通孔１０内に面する位置でビット２３を貫通孔１０に遊挿可能となっており、ビット２３の遊挿状態でツールリテーナ２２を回転させて切欠き以外の部分を貫通孔１０内に突出させれば、当該部分がビット２３の上面へ軸方向に形成した抜け止め凹部２４内に進入し、抜け止め凹部２４の前後端がツールリテーナ２２に当接する範囲でビット２３が前後移動可能に装着されることとなる。
【００１０】
以上の如く構成された電動ハンマ１においては、通常の使用時には、ツールホルダ９へ前述のようにビット２３を装着した状態で、ビット２３の先端を地面等に押し付けると、ビット２３の後端がインパクトボルト１１の有底孔１４の底に当接してインパクトボルト１１を後退させる。すると、インパクトボルト１１の小径部１３が鍔付スリーブ１５の透孔１６を貫通し、大径部１２の後面が鍔付スリーブ１５に当接して鍔付スリーブ１５をコイルバネ２０の付勢に抗して後退させる。鍔付スリーブ１５がシリンダ３の前端に当接すると、図１のようにインパクトボルト１１の小径部１３がシリンダ３内に突出するため、この状態でモータを駆動させてピストン４と共にストライカ６を往復動させると、ストライカ６が前進の際にインパクトボルト１１の小径部１３を打撃し、これがインパクトボルト１１を介してビット２３に伝わる。尚、シリンダ３の前端には、空気孔２５，２５・・が周方向に形成されて、ストライカ６の前方の空気室が閉塞されてストライカ６の勢いが必要以上に抑えられるのを防止している。又、ストライカ６がインパクトボルト１１に当接する位置では、ストライカ６の係合部８は鍔付スリーブ１５のＯリング１８より後方にあるため、両者の干渉はなく、ストライカ６の往復動に影響を与えない。
【００１１】
そして、無負荷状態、例えばビット２３の先端を地面等に押し付けない状態では、ストライカ６の前進に伴うインパクトボルト１１の最初の空打ちで、インパクトボルト１１とビット２３とが前進し、コイルバネ２０の付勢で鍔付スリーブ１５もツールホルダ９に当接する位置まで前進する。同時に、インパクトボルト１１の飛び出しによって前進位置を規制されなくなったストライカ６が所定のストロークよりも前進し、図２のように係合部８が鍔付スリーブ１５のＯリング１８を乗り越えて凸部１７を凹部７に進入させる。よって、ストライカ６は係合部８とＯリング１８との係合によって鍔付スリーブ１５と一体化され、ピストン４との連動が遮断される。尚、シリンダ３には、ストライカ６の通常のストロークでは空気室５に露出しない位置で空打ち防止用の透孔２６，２６・・が周方向に穿設されており、図２のストライカ６の位置で透孔２６，２６・・が開放されて、空気室５による空気バネ作用が低下することでもストライカ６とピストン４との連動の遮断に寄与している。
【００１２】
一方、最初の空打ちで突出したビット２３は、ツールリテーナ２２に当接することで後方へ跳ね返り、一緒に前進していたインパクトボルト１１を後方へ押し戻すため、インパクトボルト１１の小径部１３が再び鍔付スリーブ１５の透孔１６に挿入してＯリング１８に圧入する。この圧入によってインパクトボルト１１の勢いは弱められ、透孔１６を貫通せずに停止するため、図３のように、ストライカ６、鍔付スリーブ１５、インパクトボルト１１の３つの部品がＯリング１８，１９を介して一体化する。よって、これらの合計重量により、ビット２３が更に前後にばたついてインパクトボルト１１に当接するようなことがあっても、後方への移動量は抑えられ、その後の空打ちは効果的に防止される。
尚、電動ハンマ１の使用を再開する場合は、ビット２３の先端を地面等に押し付ければ、後退したビット２３がインパクトボルト１１に当接して一体化した３部品を後退させる。鍔付スリーブ１５がシリンダ３の前端に当接して停止すると、インパクトボルト１１はそのまま後退して小径部１３が鍔付スリーブ１５を貫通してストライカ６を押圧し、ストライカ６の係合部８をＯリング１８から脱却させてストライカ６と鍔付スリーブ１５との連結を解除するため、透孔２６，２６・・がストライカ６によって閉塞される時点でストライカ６は再びピストン４と連動を開始する。
【００１３】
このように上記形態によれば、ストライカ６と鍔付スリーブ１５との間に、所定のストロークより前進したストライカ６を鍔付スリーブ１５と弾性的に連結させる連結手段（凹部７、凸部１７、係合部８、Ｏリング１８）を設ける一方、鍔付スリーブ１５に、インパクトボルト１１の小径部１３を弾性的に把持可能な把持手段（Ｏリング１９）を設けて、無負荷状態では前述のようにストライカ６、鍔付スリーブ１５、インパクトボルト１１を一体化させるようにしたことで、ストライカ６の連動遮断とインパクトボルト１１の後方への跳ね返り量の抑制とが効果的に実現され、空打ちが確実に防止可能となる。
特にここでは、ストライカ６と鍔付スリーブ１５との連結手段を凹部７、凸部１７、係合部８、Ｏリング１８により、鍔付スリーブ１５におけるインパクトボルト１１の把持手段をＯリング１９により夫々形成したことで、鍔付スリーブ１５の内外周を合理的に利用して連結手段と把持手段とを簡単且つコンパクトに形成可能となる。
【００１４】
尚、上記形態では、Ｏリング１８を鍔付スリーブ１５の凸部１７に、係合部８をストライカ６の凹部７に夫々設けているが、これを互いに逆側に設けても良い。又、Ｏリング１８を鍔付スリーブ１５側に設ける場合、鍔付スリーブ１５の外周側に限らず、Ｏリング１９と同様に鍔付スリーブ１５の透孔１６内に設けると共に、ストライカ６の前端には凹部７に代えてインパクトボルト１１の小径部１３と同径の突出部を設けて、無負荷状態で突出したストライカ６の突出部を鍔付スリーブ１５内後方のＯリングで、跳ね返ったインパクトボルト１１の小径部１３を鍔付スリーブ１５内前方のＯリングで夫々把持させる構造としても良い。
更に、第１、第２弾性体としては、Ｏリングに限らず、周方向に配置したゴムボール等に代えても差し支えない。
そして、連結手段や把持手段としては、受け部材としての鍔付スリーブと別体の弾性体を用いるにとどまらず、受け部材をゴム等の弾性体で形成し、受け部材自身で打撃子の連結と中間子の把持とを行うものとしても良い。
【００１５】
【発明の効果】
請求項１に記載の発明によれば、前記連結手段と把持手段との採用により、無負荷状態では打撃子と受け部材、中間子の３部品が一体化されて、打撃子の連動遮断と中間子の後方への跳ね返り量の抑制とが効果的に実現され、空打ちが確実に防止可能となる。
請求項２に記載の発明によれば、請求項１の効果に加えて、連結手段を、前記凸部及び凹部と、前記第１弾性体及び係合部とし、把持手段を、受け部材の内周に配置される第２弾性体としたことで、受け部材の内外周を合理的に利用して連結手段と把持手段とを簡単且つコンパクトに形成可能となる。
【図面の簡単な説明】
【図１】電動ハンマの一部縦断面図である。
【図２】無負荷状態の電動ハンマの一部縦断面図である。
【図３】無負荷状態の電動ハンマの一部縦断面図である。
【符号の説明】
１・・電動ハンマ、２・・ハウジング、３・・シリンダ、４・・ピストン、６・・ストライカ、７・・凹部、８・・係合部、９・・ツールホルダ、１１・・インパクトボルト、１５・・鍔付スリーブ、１８，１９・・Ｏリング、２３・・ビット。
【図１】
0003993400.tif 000002
【図２】
0003993400.tif 000003
【図３】
0003993400.tif 000004